(57)【要約】【課題】  店頭または食材売場で顧客に、料理内容や調理方法の映像を見せながら、調理に必要なレシピを出力してシステムを提供する。【解決手段】  本発明システム１は、（１）前記映像を表示し、顧客がレシピ出力を指示するタッチパネル付きディスプレイ１１と、（２）映像データベース１４と、（３）レシピデータベース１５と、（４）顧客がメニューを選択する非接触ＩＣカード２と、（５）非接触ＩＣカード用リーダライタ１２と、（６）レシピを出力するプリンタ装置１３と、（７）制御部１６とを備え、顧客がＩＣカード２を選択して、リーダライタ１２にかざすと、料理内容や調理方法の映像を前記ディスプレイ１１に表示し、顧客が該映像を観察しながら前記タッチパネルによりレシピ出力を指示すると、レシピデータベース１５からレシピを選択して前記プリンタ装置から、レシピを出力することを特徴とする。【選択図】    図２
2009175901.tif 000002
【特許請求の範囲】
【請求項１】
店頭または食材売場で顧客に、料理内容や調理方法の映像を見せながら、調理に必要なレシピを出力して提供するシステムであって、該システムが、
（１）前記映像を表示し顧客がレシピ出力を指示するタッチパネル付きディスプレイと、（２）複数種メニューの料理内容や調理方法の映像データからなる映像データベースと、（３）該映像データに対応するレシピデータベースと、（４）顧客がメニューを選択するためのメニューの種類毎に設定された非接触ＩＣカードと、（５）当該非接触ＩＣカードを読み取りする非接触ＩＣカード用リーダライタと、（６）レシピを出力するプリンタ装置と、（７）制御部と、を備えるものであって、
顧客が好みの１の非接触ＩＣカードを選択して、前記非接触ＩＣカード用リーダライタにかざすと、非接触ＩＣカード用リーダライタは、該非接触ＩＣカードのコードを読み取りして制御部に送信し、該制御部は該当する映像を映像データベースから選択して、前記ディスプレイに表示し、顧客が該映像を観察しながら前記タッチパネルによりレシピ出力を指示すると、レシピデータベースからレシピを選択して前記プリンタ装置から、該映像表示中の料理のレシピを出力することを特徴とする店舗用レシピ提供システム。
【請求項２】
レシピデータベースには、調理方法や栄養価が含まれ、レシピと共に調理方法や栄養価が、前記プリンタ装置から出力されることを特徴とする請求項１記載の店舗用レシピ提供システム。
【発明の詳細な説明】
【技術分野】
【０００１】
本発明は、店舗用レシピ提供システムに関する。詳しくは、食料品等の店舗において顧客が商品を選択する際に適切な食材を購入できるように、顧客が本システムを使用してメニューを選択すると、そのメニューを調理する際に必要な食材とその分量等の内容を出力するシステムに関する。
【背景技術】
【０００２】
流通業の進展に伴い、各種の商品をいつでもどこでも誰もが購入できるようになってきている。日々の生活を潤す食材についても同様であって、日本国内は勿論、世界各地の生鮮食品材料が入手可能になってきている。ところで、このように豊かな食材が店頭に並んでいても、いざ、今日の食卓をどのようなメニューするか、食品材料は何が良いか、調理方法はどうするか、そのメニューにはどのような食材をどの程度（量）使用したら良いか等、を咄嗟には店頭で思い付かない場合が多い。予め、メモ等にして用意しておけば良いが、そのような準備の時間がない多忙な顧客が多いのが実情である。
【０００３】
従来、食品店やスーパーでは、季節の食材や当日お進めの食材を陳列し、料理方法の説明やデモンストレーションを行いながら、販売を促進することが行なわれている。季節の食材は旬のものであって美味であり、当日お進めの食材も新鮮なものが安価に入手していることが多く顧客にとっても有益な情報となる。また、そのような販売活動により売り上げが促進されるのも実情である。しかし、少子化、高齢化、人口減のトリレンマ時代では労働力が少なくそのような販売促進の人材を集めることも容易でない状況になっている。一方、多忙な顧客側は食材や調理方法についての有用な情報を提供してくれる情報源が是非とも必要であるという問題がある。
【０００４】
そこで、本発明は店舗の店頭または食材売場で、顧客に人手によらずに、料理内容や調理方法を映像で説明すると共に、調理に必要なレシピを出力するシステムを提案するものである。関連する先行特許文献として、特許文献１〜特許文献４等がある。
特許文献１は、「食材購入支援方法等」に関するが、端末から通信網を介して食材の購入注文を行なうものであり本願とは直接関連しない。特許文献２は、「レシピカード、その作成方法およびシステム」に関するが、店舗内における食材位置や個人の特性に応じたレシピカードの作成方法等について記載している。本願は、食材位置や個人の特性等を考慮するものではない。特許文献３は、「レシピ提供システム」に関するが、一定の食材を使用しない特殊なレシピ内容の提供システム等を記載している。特許文献４は、「食材購入支援プログラム等」に関し、料理に必要な食材情報を購入者の電子タグにライト（書き込み）することを記載している。
【０００５】
【特許文献１】特開２００２−２１５９６２号公報
【特許文献２】特開２００４−  ７４６０４号公報
【特許文献３】特開２００４−２３４４１１号公報
【特許文献４】特開２００５−２１６０６４号公報
【発明の開示】
【発明が解決しようとする課題】
【０００６】
発明が解決しようとする課題は、第１に、食品店やスーパーの店頭や食材売場において、顧客に季節のまたは当日お進めの食材に関する料理内容や調理方法を映像により紹介すること。第２に、顧客の要求により必要なレシピを出力すること、である。
また、顧客が本システムに関心を示し、時節に合った映像を円滑に表示すること、簡単にレシピ出力がされることに留意して本システムを構築したものである。
【課題を解決するための手段】
【０００７】
上記課題を解決する本発明の要旨は、店頭または食材売場で顧客に、料理内容や調理方法の映像を見せながら、調理に必要なレシピを出力して提供するシステムであって、該システムが、（１）前記映像を表示し顧客がレシピ出力を指示するタッチパネル付きディスプレイと、（２）複数種メニューの料理内容や調理方法の映像データからなる映像データベースと、（３）該映像データに対応するレシピデータベースと、（４）顧客がメニューを選択するためのメニューの種類毎に設定された非接触ＩＣカードと、（５）当該非接触ＩＣカードを読み取りする非接触ＩＣカード用リーダライタと、（６）レシピを出力するプリンタ装置と、（７）制御部と、を備えるものであって、顧客が好みの１の非接触ＩＣカードを選択して、前記非接触ＩＣカード用リーダライタにかざすと、非接触ＩＣカード用リーダライタは、該非接触ＩＣカードのコードを読み取りして制御部に送信し、該制御部は該当する映像を映像データベースから選択して、前記ディスプレイに表示し、顧客が該映像を観察しながら前記タッチパネルによりレシピ出力を指示すると、レシピデータベースからレシピを選択して前記プリンタ装置から、該映像表示中の料理のレシピを出力することを特徴とする店舗用レシピ提供システム、にある。
【０００８】
上記において、レシピデータベースには、調理方法や栄養価が含まれ、レシピと共に調理方法や栄養価が、前記プリンタ装置から出力される、ようにすれば、顧客はより充実した情報が得られる。
【発明の効果】
【０００９】
本発明の店舗用レシピ提供システムは、繁忙な店舗等においても、顧客に希望する料理の内容や調理方法を紹介し、希望する料理のレシピを提供することができる。
食品店やスーパーの店頭または食材売場で、販売を促進したい食材を含む料理の映像を流すことにより当該食材の販売を促進することができる。また、セールスのために特別な人材を集める必要がなくなる。
【発明を実施するための最良の形態】
【００１０】
以下、本発明の店舗用レシピ提供システムについて、図面を参照して説明する。
図１は、店舗用レシピ提供システムの外観構成を示す図、図２は、店舗用レシピ提供システムのブロック構成を示す図、図３は、非接触ＩＣカードの例を示す図、図４は、店舗用レシピ提供システムの使用手順を示す図、である。
【００１１】
図１は、店舗用レシピ提供システムの外観構成を示す図、図２は、店舗用レシピ提供システムのブロック構成を示す図である。まず、両図に基づいて説明する。
店舗用レシピ提供システム１は、料理内容や調理方法の映像を表示するディスプレイ（モニター）１１を有し、当該ディスプレイ１１には非接触ＩＣカード用リーダライタ１２とプリンタ装置１３とが接続している。ディスプレイ１１は、静止画像や動画像を表示するもので、音響効果を高めるスピーカ１７ａ，１７ｂを備えている。
【００１２】
ディスプレイ１１は、画面の所定場所を指で接触（タッチ）すると導通する接点を有するタッチパネル式であって、顧客が興味を持った映像により、画面または所定箇所を指触すると当該画面に関連したレシピが、レシピデータベース１５を介しプリンタ装置１３により出力されるようになっている。ディスプレイ１１や制御部１６は、具体的には小型のパーソナルコンピュータやタブレット（ＰＣ）等を使用できる。画面サイズは１５インチ〜２０インチ程度のものでよい。
【００１３】
以上の装置構成の他に、店舗用レシピ提供システム１は、顧客がメニューを選択するために、メニューの種類に応じた複数枚の非接触ＩＣカード２を備えている（図３参照）。  前記非接触ＩＣカード用リーダライタ１２は、この非接触ＩＣカード２を読み取りするもので、顧客が好みの１の非接触ＩＣカード２を選択して前記非接触ＩＣカード用リーダライタ１２にかざすと、非接触ＩＣカード用リーダライタ１２は、該非接触ＩＣカード２のコードを読み取りする。読み取りした非接触ＩＣカード２のコードは、制御部１６に送信される。
【００１４】
非接触ＩＣカード２は単にメニューを選択するためだけのもので、詳細な情報が入っているわけではない。従って、複雑なコードを識別する必要もなく、カード毎に、「１」、「２」、「３」とかの単純なコードが読み取りできればよい。コードを読み取りしたリーダライタ１２は、当該コードを制御部１６に送信する。制御部１６は映像データベース１４にアクセスして、該当の映像をディスプレイ１１に表示するように指令する。
【００１５】
映像データベース１４は、非接触ＩＣカード２のコードに基づく映像データの集積からなっている。通常は、サーバに蓄積したり光ディスク（ＤＶＤやＣＤ−ＲＯＭ）にして供給される。光ディスクの場合は、ドライバが必要になる。非接触ＩＣカード２のコードに基づいて、複数種の料理内容や調理方法の映像が流れるようにされている。
映像データベース１４は、予め、メニュー毎に編集されたものであって、料理内容を映像で表示し、調理方法等を専門家の実演により動画として見られるものが好ましい。メニューの種別と季節や当日お進めの食材種に応じて、複数種、好ましくは多数の映像データを準備しておく。メニューは、当日お進めの食材種や年間の行事等に伴い変化するので、目的に沿って編集した映像データを配信するものであってもよい。
【００１６】
非接触ＩＣカード２は、１３．５６ＭＨｚで交信するものであり、非接触ＩＣカード用リーダライタ１２から発する電磁波を受信して、それにより生じる誘起電力により動作するものである。非接触ＩＣカード２のカード基体内には、非接触ＩＣチップとアンテナコイルを有している。非接触ＩＣカード用リーダライタ１２も、非接触交信用のアンテナを有し、当該アンテナからＩＣカード２を呼び出すポーリング信号を絶えず送信している。非接触ＩＣカード２が当該リーダライタの交信域に入って、ポーリング信号を受信すると、ポーリング応答信号を非接触ＩＣカード２が送信して交信が開始される。
顧客は、非接触リーダライタ１２のアンテナパネル面に接触的にＩＣカード２を近づけることができるので、非接触リーダライタ１２は出力の弱い機種であっても構わない。
【００１７】
店舗用レシピ提供システム１は、図２のように複数種の料理内容や調理方法の映像データからなる映像データベース１４と、映像データに対応するレシピデータベース１５と、制御部１６とを備えている。制御部１６によりシステムの全体が制御されている。
【００１８】
図３は、非接触ＩＣカードの例を示す図である。非接触ＩＣカード２の表面（Ａ）には、「このカードをかざして下さい」等の表示２１がされており、裏面（Ｂ）には、メニューの表示が文字または図柄２２により表示されている。図２の場合、「簡単おつまみ」と「和風おつまみ」の２種の非接触ＩＣカード２を示している。いずれかのＩＣカードを選んで、非接触ＩＣカード用リーダライタ１２にかざすと、関連した映像が流れるというものである。メニューの選択は、キーボードやタッチパネルでも勿論可能であるが、このように、図柄等を伴う非接触ＩＣカード２にすると可視性が高くなり、顧客のモチベーションを高め、非接触ＩＣカード２をかざす動作につながり易い。
【００１９】
次は、メニューと料理の種類を示す表である。６月の父の日の週にちなんだ料理内容が選ばれている。このように、販売時期やその時点の行事、旬の材料、新鮮で安価な食材が入荷した状況により料理を選ぶことが、顧客の関心を集め、店舗の利益にもつながる。「簡単おつまみ」  →「枝豆のせピリ辛ヤッコ」
「和風おつまみ」  →「うなぎと山芋のわさび醤油あえ」
「洋風おつまみ」  →「簡単ローストビーフ」
「旬野菜おつまみ」→「アスパラベーコンガーリック風味」
【００２０】
上記の例では顧客が、「簡単おつまみ」の非接触ＩＣカード２を選択し、非接触ＩＣカード用リーダライタ１２にかざすと、ディスプレイ１１には、「枝豆のせピリ辛ヤッコ」の映像が現れ、続いてその調理方法の実演や必要な材料の説明がされることになる。また、「和風おつまみ」の非接触ＩＣカード２を選択すれば、「うなぎと山芋のわさび醤油あえ」の映像が現れることになる。
【００２１】
料理の種類は複数種類であってもよい。例えば、「たっぷり野菜の中華」メニューに対して、茄子が主役の「マーボナス」（ＩＣカードは茄子の絵柄）、胡瓜が主役の「バンバンジー」（ＩＣカードは胡瓜の絵柄）、キャベツが主役の「ホイコーロ」（ＩＣカードはキャベツの絵柄）、ピーマンが主役の「チンジャオロース」（ＩＣカードはピーマンの絵柄）を準備できる。このような野菜中心のメニューは、天候が良好で新鮮な野菜が安価に出回る季節に好ましい。メニューに対する料理の種類が多数種類の場合は、「たっぷり野菜の中華」の非接触ＩＣカード２をかざした後は、ディスプレイ１１に、料理の選択画面が現れ、タッチパネルで何れかを選択するようにしてもよい。
【００２２】
図４は、店舗用レシピ提供システムの使用手順を示す図である。顧客が上記の非接触ＩＣカード２の中から「簡単おつまみ」の非接触ＩＣカード２を選択して、非接触リーダライタ（Ｒ／Ｗ）１２にかざすと、ディスプレイ１１には、「枝豆のせピリ辛ヤッコ」の映像が現れ、その材料や調理方法が紹介される。ディスプレイ１１面には、「材料一覧」や「チラシ商品」、「レシピ出力」を表示したタッチ部分がある。「材料一覧」は、調理に必要な材料一切の一覧リストの出力を行い、「チラシ商品」とは、宣伝として当日に新聞に折り込まれたチラシ商品の番号や売場位置を示すものである。「レシピ出力」は、調理法や通常のレシピカード３が出力されるものである。該当部分をタッチ（指触）すると、該当の印刷物がプリンタ装置１３から出力される。
【００２３】
下表は、レシピの例を示す図である。「マーボナス」のレシピとその＜製法＞が記載されている。このように、レシピと同時に＜製法＞が出力されてもよいものである。
１．  茄子            ３本          Ａ．  長ねぎ（みじん切り）    １０ｃｍ
ピーマン        １個                にんにく（みじん切り）  小さじ１
豚ひき肉    １５０ｇ                しょうが（みじん切り）  小さじ１
水          １００ｍｌ        Ｂ．  トーバンジャン          小さじ１
片栗粉      小さじ１                テンメンジャン          大さじ２
ごま油      小さじ２                                                            揚げ油          適量            カロリー    ４２０Ｋｃａｌ
【００２４】
＜製法＞
１．茄子はしま目にむいて６つ割りにして長さを半分に切る。ピーマンは２ｃｍの幅のくし型に切る。
２．１７０°Ｃの揚げ油で１．をサッと揚げる。
３．熱した中華鍋にごま油を入れてなじませ、Ａを中火でサッと炒める。強火にし、肉を入れてパラパラになるまで炒める。
４．３にＢ、２．を順に入れて炒め、水溶き片栗粉を加えて煮たてる。
【００２５】
以上の説明のように、本発明の店舗用レシピ提供システム１は、店舗の店頭に設置しても良いし食材売場に設置しても良く、双方に連繋して設置しても良いものである。
また、本発明の店舗用レシピ提供システム１は、上述した実施形態に限定されず、諸種の変形実施形態が可能なものである。例えば、料理内容や調理方法をカラー画像で印字出力してもよいし、レシピは別途販売する非接触ＩＣカードに出力するようにし、顧客が自宅のＩＣカード用リーダライタで読み出しして使用するようにもできるものである。
【図面の簡単な説明】
【００２６】
【図１】店舗用レシピ提供システムの外観構成を示す図である。
【図２】店舗用レシピ提供システムのブロック構成を示す図である。
【図３】非接触ＩＣカードの例を示す図である。
【図４】店舗用レシピ提供システムの使用手順を示す図である。
【符号の説明】
【００２７】
１    店舗用レシピ提供システム
２    非接触ＩＣカード
３    レシピカード
１１    ディスプレイ
１２    非接触ＩＣカード用リーダライタ
１３    プリンタ装置
１４    映像データベース
１５    レシピデータベース
１６    制御部
【図１】
2009175901.tif 000003
【図２】
2009175901.tif 000004
【図３】
2009175901.tif 000005
【図４】
2009175901.tif 000006